(57)【特許請求の範囲】
【請求項１】
容器部（２）とこれにヒンジ式に連結された蓋（３）とを含み、容器部（２）が形成する空間を蓋（３）が閉じた際に閉じられる喫煙品用パッケージであって、この蓋（３）は、端部（１６）とこの端部（１６）から延び、閉じた際に容器部（２）の壁（６）と重なる壁（１２）とを含み、パッケージは、前記壁の内の１つの壁の面から延び、自由端部（２９、９６、１０９、１２５）を有するフラップ（２６、９３、１０７、１２０）と前記壁のもう一方の壁に形成された切り欠き（５１、８０、１０２）とをさらに含み、切り欠き（５１、８０）が第１縁部（５４、６５、７３、８７）および第２縁部（５５、７４、８８）を有し、第１縁部が第２縁部からオフセットし、蓋（３）が閉じた位置に移動した際に、第２縁部がフラップの自由端部上に位置する前に第１縁部がフラップ（２６、９３）の自由端部（２９、９６）上に位置するようになっており、切り欠き（５１、８０）は、上位部分（４２、６０、８２）と中位部分（４４、６２、８４）との間に第１の段（５２、６３、８５）を形成し、中位部分（４４、６２、８４）と下位部分（４３、６１、８３）との間に第２の段（５３、６４、８６）を形成するパッケージ。
【請求項２】
第２縁部（５５、７４、８８）が第１縁部（５４、６５、７３、８７）と平行に第１縁部から離れて延びていることを特徴とする請求項１に記載のパッケージ。
【請求項３】
切り欠き（５１、８０）が第１縁部（５４、６５、７３、８７）および第２縁部（５５、７４、８８）を形成し、これにより蓋（３）が閉じた位置に移動する際に、フラップ（２６、９３）の自由端部（２９、９６）が第２縁部上に位置する前に第１縁部上に位置することを特徴とする請求項１または２に記載のパッケージ。
【請求項４】
第１縁部（５４、６５、７３、８７）が第２縁部（５５、７４、８８）と前記もう一方の壁の下方端部（４８）との間に配置されることを特徴とする請求項３に記載のパッケージ。
【請求項５】
第２縁部（５５、７４）は、上位部分（４２、６０、８２）に別の縁部を形成していることを特徴とする請求項３または４に記載のパッケージ。
【請求項６】
切り欠き（５１、８０）が第３縁部（５５、５７、８８、９１）を含み、この第３縁部が第１縁部（５４、６５、７３、８７）または第２縁部（５５、７４、８８）からオフセットした上位部分（４２、６０、８２）または中位部分（４４、６２、８４）の別の縁部を形成することを特徴とする請求項１に記載のパッケージ。
【請求項７】
切り欠き（５１）を有する前記もう一方の壁が内層（４６）と外層（４５）と中間層（４７）とを含み、内層（４６）が上位部分（４２）および第１の段（５２）を形成するように構成され、中間層（４７）が中位部分（４４）および第２の段（５３）を形成するように構成され、外層（４５）が下位部分（４３）を形成するように構成されていることを特徴とする請求項６に記載のパッケージ。
【請求項８】
フラップ（２６、９３）の自由端部（９６）は、少なくとも２つのタブエレメント（３２、３３、９７、９８、９９）に分かれ、それぞれが独立して変形可能であることを特徴とする請求項１乃至７いずれか１項記載のパッケージ。
【請求項９】
第１タブエレメント（３２、７７、９７）は、第１縁部（５４、７３、８７）上に位置するように構成され、第２タブエレメントは、第２縁部（５５、７４、８８）上に位置するように構成されていることを特徴とする請求項８に記載のパッケージ。
【請求項１０】
フラップ（２６、９３）、蓋の端部（１２）から延びた壁および／または容器部の壁（６）は、変形可能であり、フラップ（２６、９３）が第２縁部（５５、７４、８８）から外れるように蓋（３）が開いた位置に移動する際に変形することを特徴とする請求項１乃至９いずれか１項記載のパッケージ。
【発明の詳細な説明】
【技術分野】
【０００１】
本発明は、喫煙品用パッケージに関する。特に本発明は、ヒンジ式蓋付き喫煙品用パッケージに関するが、これに限定されるものではない。
【背景技術】
【０００２】
ヒンジ式蓋付きパッケージは、当業者にはよく知られており、紙巻きタバコが押しつぶされないように保持するためにタバコ業界では広く用いられている。ヒンジ式蓋付きパッケージの一例が下記特許文献１に示されており、このようなパッケージは、一般的には１０から２０本の紙巻きタバコを所定の配置に保持する。ヒンジ式蓋付きパッケージは、通常、１組の板紙ブランクから作製される。
【０００３】
しかしながら、このような従来のパッケージには、最初にパッケージを開封した後に蓋を閉じるとうまく閉まった状態にならず、蓋がある程度開いた状態になるという問題が認識されている。この問題は、「あくび（ｙａｗｎｉｎｇ）」または「笑い（ｓｍｉｌｉｎｇ）」と言われる場合がある。さらにパッケージを閉じた際に逆さまに持つと、蓋がパッケージの中に入っている喫煙品の重さで、開いてしまうことがあり、喫煙品がパッケージから落ちてしまう場合がある。従って確実にパッケージを閉じた状態に維持するために蓋が開きにくくなっている改良されたヒンジ式蓋付きパッケージを提供することが望まれている。
【０００４】
上述の問題を解決しようとするために多くの既存のパッケージは、パッケージの容器部に形成された１つ以上の突出タブまたは耳部を含んでいる。このような突起は、摩擦で蓋を閉じた状態に維持するのを補助するために蓋の内側の壁と係合する。しかしながら、このような突起は、完全に閉じた位置に蓋を「係止」せず、ユーザーには蓋が完全に閉じた位置にあることの触覚的な目安またはフィードバックを与えるものが提供されていない。従ってパッケージが完全に閉じたことの目安を消費者に与えるパッケージを提供することが望まれている。
【０００５】
さらにパッケージの容器部から延びたフラップを有し、これが蓋の内方面に形成された対応する肩部とかみ合うヒンジ式蓋付きパッケージも知られている。このようなパッケージは、蓋を閉じた位置に移動させた際に「クリック」音を発する。このようなヒンジ式蓋付きパッケージの例は、下記特許文献２および３から知られている。しかしながら、このようなパッケージには許容範囲に近づけて製造しなければならず、そうでなければフラップが肩部と係合せず、従って蓋を係止せず、またはパッケージが完全に閉じる前にフラップが肩部と係合してしまうという欠点がある。いずれの状況においても蓋は完全に閉じた位置に留まらなくなる。さらに肩部とかみ合うフラップによって発せされる音によるフィードバックが小さくなり、ユーザーが聞き逃す場合がある。
【発明の概要】
【発明が解決しようとする課題】
【０００６】
上記の事を鑑み、本発明は、上述の従来の ヒンジ式蓋付きパッケージの問題点を解決する、または軽減するパッケージを提供することを目的としている。
【課題を解決するための手段】
【０００７】
本発明では容器部とこれにヒンジ式に連結された蓋とを含み、容器部が形成する空間を蓋を閉じた際に閉じられる喫煙品用パッケージを提供し、この蓋は、端部とこの端部から延び、閉じた際に容器部の壁と重なる壁とを含み、パッケージは、上記壁の内の１つの壁の面から延び、自由端部を有するフラップと上記壁のもう一方の壁に形成された切り欠きとをさらに含み、切り欠きまたはフラップの自由端部に一方が第１縁部および第２縁部を有し、第１縁部が第２縁部からオフセットし、蓋が閉じた位置に移動する際に、第２縁部がフラップの自由端部または切り欠き上に位置する前に第１縁部がフラップの自由端部または切り欠き上に位置するようになっている。
【０００８】
好ましくは第２縁部は、第１縁部から離れて第１縁部と平行に延びる。
【０００９】
１つの実施態様では切り欠きが第１縁部および第２縁部を形成し、これにより蓋が閉じた位置に移動する際に、フラップの自由端部が第２縁部上に位置する前に第１縁部上に位置する。
【００１０】
第１縁部が第２縁部と上記もう一方の壁の下方端部との間に配置されると便利である。
【００１１】
切り欠きが上記もう一方の壁の上位部分および下位部分の間に少なくとも１つの段を形成し、第１縁部が上位部分の縁部を形成すると有利である。
【００１２】
第２縁部は、上位部分に別の縁部を形成してもよい。
【００１３】
切り欠きは、上位部分と中位部分との間に第１の段を形成し、中位部分と下位部分との間に第２の段を形成し、第１縁部が上位部分の縁部を形成し、第２縁部が中位部分の縁部を形成すると有利である。
【００１４】
切り欠きが第３縁部を含み、この第３縁部が第１縁部または第２縁部からオフセットした上位部分または中位部分の別の縁部を形成すると便利である。
【００１５】
切り欠きを有する上記もう一方の壁が内層と外層と中間層とを含み、内層が上方および第１の段を形成するように構成され、中間層が中間位置および第２の段を形成するように構成され、外層が下方を形成するように構成されていると有利である。
【００１６】
別の実施態様ではフラップの自由端部が第１縁部および第２縁部を形成し、蓋が閉じる位置に移動する際に、フラップの自由端部の第１縁部が、第２縁部が切り欠き上に移動する前に切り欠き上に移動するようになっている。
【００１７】
第１縁部を第２縁部およびフラップが延びている壁の面との間に配置してもよい。
【００１８】
好ましい実施態様ではフラップは弾性変形可能であり、これによりフラップの自由縁部がもう一方の壁に形成された切り欠きの方へと付勢される。
【００１９】
１つの実施態様では、フラップの自由端部は、少なくとも２つのタブエレメントに分かれ、それぞれが独立して変形可能である。
【００２０】
好ましくは第１タブエレメントは、第１縁部上に位置するように構成され、第２タブエレメントは、第２縁部上に位置するように構成されている。
【００２１】
第１縁部を第１タブエレメントで形成してもよく、第２縁部を第２タブエレメントで形成してもよい。
【００２２】
フラップ、蓋の端部から延びた壁および／または容器部の壁は、変形可能であり、フラップが第２縁部から外れるように蓋が開いた位置に移動した際に変形すると有利である。
【００２３】
フラップが容器部から延び、切り欠きが蓋の端部から延びた壁に形成されていると都合がよい。
【００２４】
好ましくは蓋の壁は、蓋が回転する際の軸に平行に延びた面に位置する前壁であり、容器部の壁が前壁である。
【００２５】
本発明では喫煙品を含むパッケージも提供される。
【００２６】
本発明の好ましい実施態様を添付の図面を参照し、あくまで例示を目的として説明する。
【図面の簡単な説明】
【００２７】
【図１】本発明の実施態様による喫煙品用パッケージの斜視図である。
【図２】図１に示した喫煙品用パッケージの別の斜視図である。
【図３】図１に示した喫煙品用パッケージの外方シェルを形成するために使用されるブランクの平面図である。
【図４】図１に示した喫煙品用パッケージの内方シェルを形成するために使用されるブランクの平面図である。
【図５】本発明の別の実施態様による喫煙品用パッケージの斜視図である。
【図６】本発明のさらに別の実施態様による喫煙品用パッケージの斜視図である。
【図７】本発明のさらに別の実施態様による喫煙品用パッケージの斜視図である。
【図８】本発明のさらに別の実施態様による喫煙品用パッケージの斜視図である。
【図９】本発明のさらに別の実施態様による喫煙品用パッケージの斜視図である。
【発明を実施するための形態】
【００２８】
図面を参照するとパックとしても知られている喫煙品用パッケージ１が図１および２に示されており、このパッケージは、容器部２と蓋３を含んでいる。
【００２９】
本明細書中で使用する「喫煙品」なる用語は、タバコ、タバコ派生物、膨張タバコ、再生タバコまたはタバコ代替え品タバコをベースにしているかに関係なく紙巻きタバコ、シガーおよびシガリロなどの喫煙可能な製品および発熱するが燃焼しない製品を包含するが、これらに限定されるものではない。喫煙品には喫煙者によって吸引される気体流用のフィルターを設けてもよい。
【００３０】
容器部２は、喫煙品（図示せず）が収容される喫煙品収容スペース４を形成し、蓋３がヒンジ線５に沿って容器部２にヒンジ式に取り付けられ、パッケージ１を開閉することができる。当然のことながら喫煙品収容スペース４の喫煙品は、蓋３が開いた位置（図１に示すように）にあるときに取り出し可能になり、蓋３が閉じた位置にあるとき喫煙品収容スペース４内に喫煙品が保持される。
【００３１】
容器部２は、平行に互いに離れて配置された容器前壁６、後壁７および平行に互いに離れて配置され、容器前壁６、後壁７の間を延びる２つの対向する側壁８、９を含む。閉じた端部１０が容器の前壁、後壁および側壁６、７、８、９の下方から延び、容器部２の頂部が閉じた端部１０と反対に位置し、蓋３が閉じた位置にあるときに蓋３によって覆われる。蓋３が容器部２にヒンジ式に取り付けられる際のヒンジ線５が容器の後壁７の上端部に沿って形成されている。
【００３２】
蓋３は、平行に互いに離れて配置された蓋の前壁１２および後壁１３および平行に互いに離れて配置され、前壁１２、後壁１３の間を延びる２つの対向する側壁１４、１５を含む。蓋３の端部１６は、蓋の前壁、後壁および側壁１２、１３、１４、１５の上端の間を延び、蓋３の上端を閉じている。
【００３３】
蓋３が閉じた位置にあるとき、蓋の前壁１２は、容器の前壁６と重なり、当接し、２つの対向する蓋の側壁１４、１５は、それぞれ２つの対向する容器の側壁８、９と重なり、当接する。蓋の後壁１３は、容器の後壁７と位置合わせされ、ヒンジ線５によってこれに取り付けられ、蓋の端部１６は、容器の閉じた端部１０の反対に位置する。
【００３４】
容器の前壁６は、内方前壁６ａおよび外方前壁６ｂを含む。同様に容器の２つの側壁８、９は、対応する内方側壁８ａ、９ａおよび外方側壁８ｂ、９ｂを含む。内方前壁６ａおよび２つの内方側壁８ａ、９ａは、対応する外方前壁６ｂおよび２つの外方側壁８ｂ、９ｂの上端からこれらと平行に延びている。蓋２が閉じた位置にあるとき、蓋の前壁１２は、実質的に容器の前壁６の内方前壁６ａに隣接して位置し、これらと重なり、蓋の２つの側壁１４、１５は、対応する容器の側壁８、９の内方側壁８ａ、９ａと隣接して位置し、これらに重なる。
【００３５】
図１および２において、蓋３は開いた状態で示されている。この実施態様ではパッケージ１は、外方フレーム２０および内方フレーム２２を有する。外方フレーム２０は、蓋３および容器２の一部を含み、内方フレーム２２は、容器２の一部を形成する。内方フレーム２２のブランクを図３に示し、外方フレーム２０のブランクを図４に示す。図３および４において、波線は折り曲げ線を表し、実線は切断線を表す。内方フレーム２２は、容器の前壁６の内方壁６ａおよび内方側壁８ａ、９ａを形成する。蓋３は、従って蓋が閉じた位置にあるときに内方フレーム２２上で滑り嵌めされる。
【００３６】
この実施態様ではパッケージ１は、外方フレーム２０および内方フレーム２２を含むが、当然のことながら本発明はこれに限定されるものではなく、パッケージは、１つのフレームまたは種々の構造の複数のフレームから形成してもよい。例えば、内方フレームの内方前壁は、外方フレームの外方前壁と一体に形成し、一体化された前壁を形成してもよく、内方フレームの２つの内方側壁は、外方フレームの２つの外方側壁と一体に形成し、一体化された側壁を形成してもよい。
【００３７】
容器２および蓋３は、硬質の弾性材、例えば板紙またはプラスチックから形成され、これによりヒンジ式蓋付きパッケージはその形状を維持し、喫煙品収容スペース４の内容物が保護される。
【００３８】
凹部２３が容器の前壁６の内方前壁６ａの上部に形成され、容器の前壁６の最上端２４のセクション２４ａが容器側壁８、９の上端２５より低い位置に位置する。フラップ２６が容器の前壁６の最上端２４のこのセクション２４ａから延びている。フラップ２６は、容器の前壁６の最上端２４に沿って延びた折り曲げ線２７を中心に折り曲げ可能であり、図１では容器の前壁６の外方面２８上で下方に延びるように容器の前壁６上に折り曲げられた状態で示されている。
【００３９】
フラップ２６は、折り曲げ線２７から離れて位置し、自由縁部２９ａを含む自由端部２９を有する。へこみまたはスリット３０がフラップ２６の自由縁部２９ａから延びてフラップ２６に形成され、フラップ２６の外方部分を２つの個別のタブエレメント３２、３３に分割している。へこみ３０は、フラップ２６に部分的に延びて示されているが、当然のことながらへこみまたはスリットは、折り曲げ線２７まで延びて、タブエレメントが互いに独立するようにしてもよい。フラップ２６は、変形するように硬質の弾性材から形成され、これにより２つのタブエレメントは互いに個別に弾性変形することができる。この実施態様ではフラップ２６は、容器の前壁６の上端部から延びているが、当然のことながらこれに限定されるものではなく、フラップは、最上端２４から離れた容器の前壁６の外方面２８から延びてもよい。フラップ２６は、折り曲げ線２７によって容器の前壁６から区切られている。この折り曲げ線２７は、ミシン目線として構成され、フラップ２６を折り曲げやすくしている。その有効位置において、フラップ２６は、容器の前壁６の外方面２８から鋭角に延びるように折り曲げられる。
【００４０】
本発明のヒンジ式蓋付きパッケージは、容器の側壁８、９の内方側壁８ａ、９ａから外方に横に延びた一対の耳部３４も含む。各耳部３４は、容器の前壁６の内方前壁６ａと平行にそこから容器側壁８、９に対して直角に延びている。各耳部３４は、内方側壁８ａ、９ａに形成された切断線３５によって形成される（図３参照）。
【００４１】
肩部４０が蓋３の前壁１２の内方面４１に形成されている。肩部４０は、蓋の前壁１２の内方面４１を上位部分４２と下位部分４３に分けている。以下に説明するような中位部分４４が上位部分４２と下位部分４３の間に形成されている。
【００４２】
蓋３の前壁１２は、外層４５、内層４６および中間層４７から形成されている。外層、内層および中間層４５、４６、４７は、蓋３の端部１６より遠位にある外層４５から延び、外層４５の内面４９に隣接し、これと平行に延びるように外層４５で折り曲げられる内層４６によって一体に形成されている。外層４５と内層４６との間の折り曲げ線は、蓋３の前壁１２の下方端部４８を形成する。
【００４３】
中間層４７は、外層４５から遠位にある内層４６から延び、内層４６で折り曲げられ、これにより中間層４７は、外層と内層４５、４６との間に配される。外層、内層および中間層４５、４６、４７は、接着剤を用いて互いに接着される。内層４６および中間層４７は、下方端部４８から部分的に外層４５の内面４９に沿って延び、従って外層４５の内面４９の一部は、露出したままになる。
【００４４】
切り欠き５１が蓋の前壁１２の内方面４１に形成されている。切り欠き５１は、肩部４０から延び、内層４６および中間層４７それぞれに凹部を形成している。内層４６の凹部は、中間層４７に形成された凹部より大きく、これにより中間層４７の内面５０のセクションが露出し、蓋の内方面４１の中位部分４４を形成する。
【００４５】
露出した外層、内層および中間層４５、４６、４７の内面は、蓋の内方面４１の下位部分４３、上位部分４２および中位部分４４をそれぞれ形成する。切り欠き５１は、上位部分４３と中位部分４４との間に上方の段５２そして中間位置４４と下位部分４３との間に下方の段５３を形成する。
【００４６】
上方の段５２は、２つの上方切り欠き縁部５４、５５を有し、これらは互いにオフセットされ、これにより切り欠き縁部の１つがもう一方の切り欠き縁部より蓋の前壁１２の下方端部４８に近く形成される。２つの上方切り欠き縁部５４、５５は、上位部分４２の縁部を形成し、互いに平行に離れて延びている。同様に下方の段は、２つの下方切り欠き縁部５６、５７を有し、これらは互いにオフセットされ、これにより切り欠き縁部の１つがもう一方の切り欠き縁部より蓋の前壁１２の下方端部４８に近く形成される。２つの下方切り欠き縁部５６、５７は、中間位置４４の縁部を形成し、互いに平行に離れて延びている。
【００４７】
上方および下方の段５２、５３は、互いに平行に延びているが、下方の段は上方の段５２からオフセットされ、これにより上方切り欠き縁部５４、５５および下方切り欠き縁部５５、５６は、互いに離れて位置する。
【００４８】
フラップ２６は、蓋３が閉じる位置に移動すると、切り欠きの上方および下方の段５２、５３と位置合わせされ、これら段と接して位置するように容器の前壁６から延びている。フラップ２６の２つのタブエレメント３２、３３は、それぞれ蓋３が閉じる位置に移動すると、１つの対応する切り欠き縁部５４、５５と１つの対応する下方切り欠き縁部５６、５７上に位置するように位置合わせされる。フラップ２６と切り欠き５１は共に蓋３を閉じた位置に維持するための係止機構を形成する。
【００４９】
上記で例示した実施態様によるヒンジ式蓋付きパッケージの操作を図１および２を参照して説明する。ヒンジ式蓋付きパッケージ１は、上述したように組み立てられると、喫煙品（図示せず）がパッケージの喫煙品収容スペース４内に配される。その後蓋３は、容器部２を閉じたり、開いたりするためにヒンジ式に回転可能になっており、喫煙品（図示せず）は、蓋３が開いた位置にあるとユーザーが取り出すことができ、蓋３が閉じた位置にあるときにはパッケージ内に保持される。
【００５０】
蓋３を開いた位置から閉じた位置へと回転させると、蓋の前壁１２と側壁１４、１５が容器の前壁６および側壁８、９と重なる。最初フラップ２６は、容器の前壁６の外方面２８の方に鋭角で延びた有効な中立位置にある。蓋３が閉じた位置に戻ると、フラップ２６の自由縁部２９ａが蓋の前壁１２の内方面４１と接触する。フラップ２６は、フラップ２６および／または容器部２の前壁６の弾性により内方面４１に対して付勢される。最初はフラップ２６の自由縁部２９ａは、上位部分４２と接触し、蓋３が閉じられるとそれに沿ってスライドする。
【００５１】
フラップ２６の自由縁部２９ａは、フラップのタブエレメント３２の１つが蓋の前壁１２の下方端部４８に近い方の切り欠きの上方の段５２の対応する上方切り欠き縁部５４上に位置するまで、蓋の前壁の内方面４１の上位部分４２に沿ってスライドする。この第１タブエレメント３２は、この上方の切り欠き縁部５４上に位置すると解放され、弾性力によって上方面４１の中間位置４４の方へと付勢され、中間位置に衝突する。従ってこの第１タブエレメント３２によって形成されるフラップ２６の自由縁部２９ａのセクションが中間位置４４の内面の方に弾性変形し、これと接触すると、可聴クリック音が発生する。もう一方のタブエレメント３３は、この第２タブエレメント３３によって形成された自由縁部２９ａのセクションがもう一方の切り欠き縁部５５上に位置していないので、上位部分４２と接触したままであるが、第１タブエレメント３２は、フラップ２６に形成されたへこみ３０により第２タブエレメント３３とは別個に撓むことができる。
【００５２】
蓋３をそれが閉じる位置へとさらに移動させると、第２タブエレメント３３が上方の段５２のもう一方の上方切り欠き縁部５５上に位置する。この第２タブエレメント３３は、上方の段５２のこのもう一方の上方切り欠き縁部５５上に位置すると、解放され、弾性力によって上方面４１の中間位置４４の方へと付勢され、これと衝突する。従ってこの第２タブエレメント３３によって形成されたフラップ２６の自由縁部２９ａのセクションが中間位置４４の内面の方へと弾性変形し、これと接触し、第２の可聴クリック音が発生する。
【００５３】
蓋３をそれが閉じる位置へとさらに移動させると、第１タブエレメント３２が下方の段の対応する下方の切り欠き縁部５６上に位置し、弾性力によって付勢され、中間位置４４から下位部分４３へと移動し、第１タブエレメント３２が下位部分４３に衝突する。従ってこの第１タブエレメント３２によって形成されたフラップ２６の自由縁部２９ａのセクションが下位部分４３の内面の方へと弾性変形し、これと接触すると、第３可聴クリック音が発生する。
【００５４】
最後に蓋３が閉じた位置に到達すると、第２タブエレメント３３が下方の段のもう一方の下方の切り欠き縁部５７上に位置する。この第２タブエレメント３３は、下方の段のこのもう一方の下方の切り欠き縁部５７上に位置すると解放され、上面４１の下位部分４３の方へと弾性力によって付勢され、これと衝突する。従ってこの第２タブエレメント３３によって形成されたフラップ２６の自由縁部２９ａのセクションが下位部分４３の内面の方に弾性変形し、これと接触すると、第４の可聴クリック音が発生する。従って、蓋が閉じると、ユーザーに音としてフィードバックされる。
【００５５】
その後蓋３は、閉じた位置にある。蓋３は、下方の段の下方切り欠き縁部５７と係合するフラップ２６の自由縁部２９ａによって閉じた位置に維持される。従ってフラップ２６は、切り欠き５１とかみ合い、よって蓋が開いた位置へと回転するのを妨げる。フラップ２６は、フラップ２６の自由縁部２９ａが下位部分４３に対して付勢され、下方の段と当接することによって蓋の前壁の内方面４１に沿ってスライドして戻らないようになっている。
【００５６】
当然のことながらフラップ２６の自由縁部２９ａが上記１つ以上の切り欠き縁部５４、５５、５６、５７に到達し、これらの上に位置する前に蓋３が閉じた位置に到達すれば、フラップ２６は、蓋３が閉じられる際に上方および下方の段５２、５３の１つ以上の切り欠き縁部５４、５５、５６、５７上に位置しなくてもよい。しかしながら、この場合には音によるフィードバックは、他の切り欠き縁部上に位置するフラップ２６の自由縁部２９ａによって供され、蓋３は、フラップ２６の自由縁部２９ａが既に位置している上方および下方の段の切り欠き縁部に当接するフラップ２６の自由端部２９によって閉じた位置に維持される。
【００５７】
回転力が蓋３に加えられると、蓋３が閉じた位置から開いた位置へと移動し、これにより閉鎖されていた喫煙品用スペース１２に触れることが可能になる。フラップ２６の自由切り欠き縁部２９が下位部分４３に対して付勢され、下方の段５３と当接することによってフラップ２６は、蓋の前壁の内方面４１に沿ってスライドして戻らなくなる。従って、蓋３を強制的に回転させると、下方の段５３がフラップ２６の自由縁部２９ａに作用し、フラップ２６を付勢させてその折り曲げ線２７を中心にフラップ２６を回転させる。蓋３の前壁１２、容器部２の前壁６および／またはフラップ２６は、弾性変形可能であり、これによりフラップ２６は、回転することができ、蓋３は、開いた位置へと移動することができる。蓋３が開いた位置へと移動すると、フラップ２６は、下方の段５３から解除され、容器の前壁６の外方面２８から鋭角に延びた中立位置へと戻る。
【００５８】
上述の実施態様では切り欠き５１は、互いにオフセットした２つの切り欠き縁部５４、５５、５６、５７をそれぞれ有する２つの段、即ち上方の段５２および下方の段５３とこれら段の対応する切り欠き縁部と協働する２つのタブエレメント３２、３３を有するフラップとを含むが、当然のことながらこれとは別の構成も可能である。特に当然のことながら互いにオフセットした２つ以上の切り欠き縁部を含む１つの段を有する切り欠きを対応するフラップエレメントを有するフラップと共に使用してもよく、それぞれ１つの切り欠き縁部を有する２つ以上の段を１つのタブエレメントを有するフラップと共に用いてもよい。当然のことながら発せられる「クリック」音の数は、形成されるオフセット縁部の数によって決まる。
【００５９】
例えば、別の実施態様を図５に示す。この実施態様の喫煙品用パッケージの構成は、上記実施態様で説明したものとほぼ同じであるので、詳しい説明は、ここでは省略する。さらに、上記実施態様で説明した部材および特徴に対応する部材および特徴には同じ参照番号を付してある。
【００６０】
この実施態様では蓋３に形成された切り欠き５１は、上位部分６０、下位部分６１および中位部分６２を有し、上方の段６３が上位および中位部分６０、６２の間に形成され、そして下方の段６４が中位および下位部分６２、６１の間に形成されている。しかしながら、この実施態様において上方および下方の段６３、６４は、それぞれ切り欠き縁部６５、６６を１つだけ有している。さらにフラップ６７は、へこみを有しておらず、従ってフラップ６７は、自由縁部６８を有する１つのタブエレメントを形成している。従って、蓋３が開いた位置から閉じた位置へと移動すると、フラップ６７の自由縁部６８は、下方の段６４の切り欠き縁部６６上に位置して第２の可聴音を発生させる前に、上方の段６３の切り欠き縁部６５上に位置し、第１の可聴音を発生させる。
【００６１】
さらに別の実施態様を図６に示す。この実施態様の喫煙品用パッケージの構成は、上記実施態様で説明したものとほぼ同じであるので、詳しい説明は、ここでは省略する。さらに、上記実施態様で説明した部材および特徴に対応する部材および特徴には同じ参照番号を付してある。
【００６２】
この実施態様では蓋３に形成された切り欠き５１は、２つの高さ、即ち上位部分７０と下位部分７１だけを有する。従って、１つの段７２が上位および下位部分７０、７１の間に形成され、２つのオフセットした切り欠き縁部７３、７４が１つの段７２に形成されている。さらにフラップ７５は、へこみ７６またはスリットを有し、よって２つのタブエレメント７７、７８がフラップ７５の自由縁部７９に形成されている。従って、蓋３が開いた位置から閉じる位置へと移動すると、フラップ７５の第１タブエレメント７７によって形成された自由縁部７９のセクションは、フラップ７５の第２タブエレメント７８によって形成された自由縁部７９のセクションが段７２の一方の切り欠き縁部７４上に位置して、第２の可聴音を発生させる前に段７２のもう一方の切り欠き縁部７３上に位置して、第１の可聴音を発生させる。
【００６３】
図７に別の実施態様を示す。この実施態様の喫煙品用パッケージの構成は、上記実施態様で説明したものとほぼ同じであるので、詳しい説明は、ここでは省略する。さらに、上記実施態様で説明した部材および特徴に対応する部材および特徴には同じ参照番号を付してある。
【００６４】
この実施態様の喫煙品用パッケージでは、切り欠き８０が蓋３に形成され、上位部分８２、下位部分８３および中位部分８４を有し、上方の段８５が上位および中位部分８２、８４の間に形成され、下方の段８６が中位および下位部分８４、８３の間に形成されている。しかしながら、この実施態様では３つのオフセットした切り欠き縁部８７、８８、８９が上方の段８５に形成され、３つのオフセットした切り欠き縁部９０、９１、９２が下方の段８６に形成されている。上方の段８５に形成された３つのオフセットした切り欠き縁部８７、８８、８９は、それぞれ互いにオフセットしており、下方の段８６に形成された３つのオフセットした切り欠き縁部 ９０、９１、９２は、それぞれ互いにオフセットしている。さらに上方の段８５に形成された３つのオフセットした切り欠き縁部８７、８８、８９は、それぞれ下方の段８６に形成された対応するオフセットした切り欠き縁部９０、９１、９２から離れて平行に延びている。
【００６５】
フラップ９３は、フラップ９３の自由縁部１００から延びたフラップ９３に形成された２つのへこみ９４、９５またはスリットを有し、よって３つのタブエレメント９７、９８、９９がフラップ９３の自由端部９６に形成されている。フラップ９３は、蓋３が閉じる位置に移動する際に、切り欠き８０の上方および下方の段８５、８６と位置合わせされ、これらに接して位置するように容器の前壁６から延びている。フラップ９３の３つのタブエレメント９７、９８、９９は、それぞれ蓋３が閉じる位置に移動する際に、上方の段８５に形成された１つの対応するオフセットした切り欠き縁部８７、８８、８９および下方の段８６に形成された１つの対応するオフセットした切り欠き縁部９０、９１、９２上に位置するように位置合わせされる。フラップ９３と切り欠き８０は、共に蓋３を閉じた位置に保持するための係止機構を形成する。
【００６６】
従って、蓋３が開いた位置から閉じた位置へと移動すると、フラップ９３の第１タブエレメント９７によって形成された自由縁部１００のセクションが対応する上方の段８５の切り欠き縁部８７上に位置し、第１の可聴音を発生させる。蓋３がさらに閉じる位置へと移動すると、第２タブエレメント９８によって形成された自由縁部１００のセクションが上方の段８５の対応する第２切り欠き縁部８８上に位置し、フラップ９３の自由縁部１００のセクションが上方の段８５の対応する第３切り欠き縁部８９上に位置して、第３の可聴音を発生させる前に、第２の可聴音を発生させる。フラップ９３の自由縁部１００は、中間部分８４に接して位置する。それから第１タブエレメント９７によって形成された自由縁部１００のセクションが下方の段８６の対応する切り欠き縁部９０上に位置し、４番目の可聴音を発生させ、次いで第２タブエレメント９８によって形成された自由縁部１００のセクションが対応する下方の段８６の第２切り欠き縁部９１上に位置し、５番目の可聴音を発生させ、その後第３タブエレメント９９によって形成された自由縁部１００のセクションが下方の段８６の対応する第３切り欠き縁部９２上に位置し、６番目の可聴音を発生させる。
【００６７】
上方の段８５から下方の段８６の間隔によっては、当然のことながら別の実施態様において、第１タブエレメント９７によって形成された自由縁部１００のセクションが、第２および／または第３タブエレメント９８、９９によって形成された自由縁部１００のセクションが上方の段８５の対応する切り欠き縁部８８、８９上に位置する前に下方の段８６の対応する切り欠き縁部９０上に位置して可聴音を発生させるようにしてもよい。
【００６８】
当然のことながら上方の段の縁部と下方の段の切り欠き縁部が蓋３の前壁１２の下方端部４８から等しく離れるように位置合わせされれば、２つのフラップ部分が同時に２つの切り欠き縁部上に位置するので、１つの可聴クリック音が発生する。
【００６９】
図８に別の実施態様を示す。この実施態様の喫煙品用パッケージの構成は、上記実施態様で説明したものとほぼ同じであるので、詳しい説明は、ここでは省略する。さらに、上記実施態様で説明した部材および特徴に対応する部材および特徴には同じ参照番号を付してある。
【００７０】
この実施態様の喫煙品用パッケージでは、切り欠き１０２が蓋３に形成され、２つの高さ、即ち上位部分１０３および下位部分１０４だけを有する。従って、１つの段１０５が上位および下位部分１０３、１０４の間に形成され、１つの切り欠き縁部１０６を有する。
【００７１】
さらにフラップ１０７が容器の前壁６から延びている。フラップ１０７は、フラップ１０７の自由縁部から延びたフラップ１０７に形成された２つのへこみ１０８またはスリットを有し、よって３つのタブエレメント１１０、１１１、１１２がフラップ１０７の自由端部１０９に形成されている。本実施態様では各へこみ１０８は、折り曲げ線１１４まで延びたスリットであるが、当然のことながらへこみは、フラップ１０７の一部のみに延びてもよい。中央のタブエレメント１１１は、その両側で外方タブエレメント１１０、１１２と当接している。中央のタブエレメント１１１によって形成された自由縁部の中央部分は、外方タブエレメント１１０、１１２によって形成された隣接する外方自由縁部１１６からオフセットした中央の自由縁部１１５を形成している。折り曲げ線１１４と中央の自由縁部１１５との間の距離は、折り曲げ線１１４と外方自由縁部１１６との間の距離より短く、これにより中央の自由縁部１１５が凹んでいる。
【００７２】
フラップ１０７が、蓋３が閉じる位置に移動する際に切り欠き１０２の段１０５と位置合わせされ、これに接して位置するように容器の前壁６から延びている。フラップ１０７の３つのタブエレメント１１０、１１１、１１２は、それぞれ蓋３が閉じる位置に移動する際に、段１０５によって形成された切り欠き縁部１０６上に位置するように位置合わせされる。フラップ１０７と切り欠き１０３は、共に蓋３を閉じた位置に保持するための係止機構を形成する。
【００７３】
蓋３が開いた位置から閉じた位置へと移動すると、フラップ１０７の中央のタブエレメント１１１の中央の自由縁部１１５が段１０５の切り欠き縁部１０６上に位置し、第１可聴音を発生させる。蓋３がさらに閉じた位置へと移動すると、フラップ１０７の外方タブエレメント１１０、１１２の外方自由縁部１１６が段１０５の切り欠き縁部１０６上に位置し、第２の可聴音を発生させる。
【００７４】
当然のことながら中央の自由縁部１１５は、外方自由縁部１１６が段１０５の切り欠き縁部１０６上に位置する前に、段１０５の切り欠き縁部１０６上に位置する、というのは中央の自由縁部１１５と折り曲げ線１１４との間の距離が外方自由縁部１１６と折り曲げ線１１４との間の距離より短いからである。また当然のことながら、一方の外方自由縁部１１６と折り曲げ線１１４との間の距離が、もう一方の外方自由縁部１１６と折り曲げ線１１４との間の距離より短ければ、蓋３が閉じる位置に移動する際に第３の可聴音が発せされる。
【００７５】
さらに当然のことながら、発せされる可聴音の数をフラップのタブエレメントの数および長さを変えることによって変えてもよい。例えば、別の実施態様を図９に示す。この実施態様の喫煙品用パッケージの構成は、上記実施態様で説明したものとほぼ同じであるので、詳しい説明は、ここでは省略する。さらに、上記実施態様で説明した部材および特徴に対応する部材および特徴には同じ参照番号を付してある。
【００７６】
この実施態様の喫煙品用パッケージでは切り欠き１０２が蓋３に形成され、２つの高さ、即ち上位部分１０３と下位部分１０４だけを有する。従って、１つの段１０５が上位および下位部分１０３、１０４の間に形成され、１つの切り欠き縁部１０６を有する。
【００７７】
さらにフラップ１２０は、フラップの自由縁部１０７から延びたフラップ１２０に形成された４つのへこみ１２１またはスリットを有し、よって５つのタブエレメント、即ち中央のタブエレメント１２２、２つの中間タブエレメント１２３、および２つの外方タブエレメント１２４が、フラップ１０７の自由端部１２５に形成されている。本実施態様では各へこみ１２１は、折り曲げ線１２６まで延びたスリットであるが、当然のことながら各へこみは、フラップ１２０の一部のみに延びていてもよい。中央のタブエレメント１２２は、両側で中間タブエレメント１２３と当接し、外方タブエレメント１２４は、中央のタブエレメント１２１に対向する側で中間タブエレメント１２３と当接する。中央のタブエレメント１２２によって形成された中央の自由縁部１２７は、中間タブエレメント１２３によって形成された隣接する中間自由縁部１２８からオフセットしており、中間自由縁部も外方タブエレメント１２４によって形成された外方自由縁部１２９からオフセットしている。折り曲げ線１２６と中央の自由縁部１２７との間の距離は、折り曲げ線１２６と中間自由縁部１２８との間の距離より短く、折り曲げ線１２６と中間自由縁部１２８との間の距離は、折り曲げ線１２６と外方自由縁部１２９との間の距離より短い。
【００７８】
フラップ１２０は、蓋３が閉じる位置に移動すると、切り欠き１０２の段１０５と位置合わせされ、これと接して位置するように容器の前壁６から延びている。フラップ１２０の５つのタブエレメント１２２、１２３、１２４は、それぞれ蓋３が閉じる位置に移動すると、段１０５によって形成された切り欠き縁部１０６と位置合わせされ、この上に位置する。フラップ１２０および切り欠き１０３は、蓋３を閉じた位置に保持するための係止機構を形成する。
【００７９】
蓋３が開いた位置から閉じた位置へと移動すると、フラップ１２０の中央タブエレメント１２２の中央自由縁部１２７は、段１０５の切り欠き縁部１０６上に位置し、第１の可聴音を発生させる。蓋３がさらに閉じた位置へと移動すると、フラップ１２０の中間タブエレメント１２３の中間自由縁部１２８は、段１０５の切り欠き縁部１０６上に位置すると同時に第２の可聴音を発生させ、フラップ１２０の外方タブエレメント１２４の外方自由縁部１２９が段１０５の切り欠き縁部１０６上に位置すると同時に第３の可聴音を発生させる。
【００８０】
当然のことながら中央の自由縁部１２７は、中間自由縁部１２８が段１０５の切り欠き縁部１０６上に位置する前に段１０５の切り欠き縁部１０６上に位置する、というのは中央自由縁部１２７と折り曲げ線１１４との間の距離が中間自由縁部１２８と折り曲げ線１１４との間の距離より短いからである。同様に中間自由縁部１２８は、外方自由縁部１２９が段１０５の切り欠き縁部１０６上に位置する前に段１０５の切り欠き縁部１０６上に位置する、というのは中間自由縁部１２８と折り曲げ線１１４との間の距離が外方自由縁部１２９と折り曲げ線１１４との間の距離より短いからである。
【００８１】
当然のことながら蓋が閉じる位置に移動する際に必要とされる可聴音の数に応じて、長さの異なる複数のタブエレメントを有するフラップを２つ以上の縁部を有する切り欠きと共に使用してもよい。
【００８２】
上述の実施態様において、フラップと切り欠きは、容器部と蓋それぞれの前壁に形成されているが、当然のことながらフラップを蓋に、そして切り欠きを容器部に形成してもよい。さらに当然のことながらフラップおよび切り欠きは、容器部および蓋の側壁に形成してもよい。
【００８３】
上述の実施態様において切り欠きが肩部に形成されているが、当然のことながら肩部自体は、切り欠きの１つ以上の縁部を形成してもよく、または切り欠き自体を形成してもよい。例えば、１つの切り欠き縁部を形成する切り欠きと複数の自由縁部を有するフラップを含む実施態様において、肩部自体が切り欠きの縁部を形成してもよい。同様に切り欠きが２つ以上の切り欠き縁部を有する実施態様において、肩部は切り欠きの１つ以上の縁部を形成してもよい。
【００８４】
上述の実施態様においてタブエレメントは、へこみまたはスリットによって分けられているが、当然のことながらタブエレメントは、容器の前壁の最上端に沿って互いに離れていてもよい。このような構成ではタブエレメントは、互いに接して位置しない別個のフラップ エレメントを形成する。
【００８５】
本発明の実施態様を示し、説明してきたが、当業者には当然のことながら以下の特許請求の範囲で定められる本発明の範囲内で上述の実施態様を変更することができる。
【先行技術文献】
【特許文献】
【００８６】
【特許文献１】英国特許公開第１４３１１７３号
【特許文献２】欧州特許出願公開第０８９４７３７Ａ号
【特許文献３】欧州特許出願公開第０８４１２６３Ａ号
【図１】
0005666022.tif 000002
【図２】
0005666022.tif 000003
【図３】
0005666022.tif 000004
【図４】
0005666022.tif 000005
【図５】
0005666022.tif 000006
【図６】
0005666022.tif 000007
【図７】
0005666022.tif 000008
【図８】
0005666022.tif 000009
【図９】
0005666022.tif 000010